(57)【要約】      （修正有）【課題】回転テーブルの１つ又は複数の特性を監視するための、特に回転テーブルのバックラッシュ状態を監視するための、システム及び方法を提供する。【解決手段】フライス盤のための回転テーブル１０ａは、回転テーブル１０ａの２つの相手部品間のクリアランスを測定及び／又は算出するように構成された検知手段３０，３２と、測定／算出されたクリアランスを中央処理装置に送信するように構成された送信手段とを備える。回転テーブルの相手部品は、ウォームねじ及びウォームホイールである。【選択図】図３
2019181691.tif 000002
【特許請求の範囲】
【請求項１】
フライス盤のための回転テーブルであって、前記回転テーブルの２つの相手部品間のクリアランスを測定及び／又は算出するように構成された検知手段と、前記測定／算出されたクリアランスを中央処理装置に送信するように構成された送信手段とを備え、ここにおいて、前記回転テーブルの前記相手部品は、ウォームねじ及びウォームホイールである、回転テーブル。
【請求項２】
前記検知手段は、前記回転テーブルの前記ウォームねじに結合された第１のエンコーダと、前記回転テーブルの前記ウォームホイールに結合された第２のエンコーダとを備える、請求項１に記載の回転テーブル。
【請求項３】
前記検知手段は、電力線を通って前記回転テーブルのサーボモータに至る電流フローを測定するように構成された電流センサを備える、請求項１に記載の回転テーブル。
【請求項４】
前記検知手段は、前記回転テーブルのフェースプレートに取り付けられたスイッチを更に備える、請求項３に記載の回転テーブル。
【請求項５】
前記検知手段は、前記回転テーブルのサーボモータの位置を測定するように構成されたエンコーダと、前記回転テーブルのフェースプレートに取り付けられたスイッチとを備える、請求項１に記載の回転テーブル。
【請求項６】
請求項１乃至５のうちのいずれか一項に記載の回転テーブル及びフライス盤を備えるフライス加工ステーション。
【請求項７】
請求項６に記載のフライス加工ステーションを２つ以上備える工業作業現場構成。
【請求項８】
請求項１乃至５のうちのいずれか一項に記載の少なくとも１つの回転テーブルと、前記少なくとも１つの回転テーブルから送信されたデータを受信及び処理するための中央プロセッサとを備える、回転テーブルの特性を監視するシステム。
【請求項９】
前記回転テーブルの前記監視された特性はバックラッシュである、請求項８に記載のシステム。
【請求項１０】
前記中央プロセッサはコンピュータである、請求項８又は９に記載のシステム。
【請求項１１】
前記少なくとも１つの回転テーブルのうちの１つと同じ敷地にローカルサーバを更に備え、前記ローカルサーバは、前記中央プロセッサに接続されている、請求項８乃至１０のうちのいずれか一項に記載のシステム。
【請求項１２】
前記ローカルサーバは、オフサイトロケーションからデータ及び情報を送信及び受信するように構成された送信手段及び受信手段を備える、請求項１１に記載のシステム。
【請求項１３】
前記ローカルサーバは、ユーザインターフェース手段を備える、請求項１１又は１２に記載のシステム。
【請求項１４】
前記ローカルサーバと同じ敷地に位置している前記少なくとも１つの回転テーブルのうちの１つ又は複数がワイヤード又はワイヤレスの送信手段を介して前記ローカルサーバに接続されている、請求項１１若しくは請求項１１に直接的又は間接的に従属するいずれかの請求項に記載のシステム。
【請求項１５】
前記ローカルサーバと同じ敷地に位置している各回転テーブルは、ワイヤード又はワイヤレスの送信手段を介して前記ローカルサーバに接続されている、請求項１４に記載のシステム。
【請求項１６】
前記ローカルサーバとは異なる敷地に位置しているマスタサーバを更に備える、請求項１１若しくは請求項１１に直接的又は間接的に従属するいずれかの請求項に記載のシステム。
【請求項１７】
前記マスタサーバは、ユーザインターフェース手段を備える、請求項１６に記載のシステム。
【発明の詳細な説明】
【技術分野】
【０００１】
[0001]本発明は、回転テーブルの１つ又は複数の特性を監視するための、特に回転テーブルのバックラッシュ状態を監視するための、システム及び方法に関する。
【背景技術】
【０００２】
[0002]製造技術におけるデータ交換及び自動化の利用可能性の増加について、多くの産業分野ではニーズが高まっている。
【０００３】
[0003]いくつかの産業分野では、理想的な状況は、いわゆる「スマートファクトリ」の作成であり、ここでは、このファクトリは、モジュール式構造で配置されており、サイバーフィジカルシステムは、物理プロセスを監視し、自然界の仮想コピーを作成し、分散的決定を行うために使用される。
【０００４】
[0004]モノのインターネットを通じてサイバーフィジカルシステムがリアルタイムで互いと及び人間と通信及び協力すること、並びに、サービスのインターネットを介して内部サービス及び組織をまたがるサービスの両方がバリューチェーンの参加者によって提供及び使用されることは想像される。
【０００５】
[0005]回転テーブルは一般に、それによりオペレータが固定軸の周りを正確な間隔でドリル加工又は切断加工することが可能になるため、精密加工測位デバイスとしてのフライス盤、特にコンピュータ数値制御（ＣＮＣ）フライス盤、と共に使用される。
【０００６】
[0006]ＣＮＣフライス加工ステーション（CNC milling station）の様々な構成要素（典型的なＣＮＣフライス加工ステーションは、フライス盤、回転テーブル、工具交換装置、等の構成要素を組み込んでいる）のいくつかの特性、例えばフライス盤の平均的な１週間の機械加工時間、は、かなり端的で、測定又は取得し易いが、回転テーブルの特定の特性に関するデータを測定し、集めることはより困難である。
【０００７】
[0007]従って、スマートファクトリの一部としてであってもそうでなくてもＣＮＣフライス加工ステーションの働きを改善するために使用されることができる回転テーブルの特性を監視するためのシステム及び方法が必要である。
【０００８】
[0008]回転テーブルを使用して実行されるタスクの一定の品質及び／又は基準（standard）を維持するためにバックラッシュが容易に監視及び測定されることができる回転テーブルも必要である。
【発明の概要】
【０００９】
[0009]本発明の第１の態様によれば、フライス盤のための回転テーブルが提供されており、上記回転テーブルは、上記回転テーブルの２つの相手部品間のクリアランスを測定及び／又は算出するように構成された検知手段と、上記測定／算出されたクリアランスを中央処理装置に送信するように構成された送信手段とを備え、ここにおいて、上記回転テーブルの上記相手部品は、ウォームねじ及びウォームホイールである。
【００１０】
[0010]検知手段及び送信手段は、回転テーブルの状態監視を可能にする。
【００１１】
[0011]例示的な実施形態では、上記検知手段は、回転テーブルの上記ウォームねじに結合された第１のエンコーダと、回転テーブルの上記ウォームホイールに結合された第２のエンコーダとを備える。
【００１２】
[0012]これらのエンコーダは、ウォームねじ及びウォームホイールの位置が容易に決定されることを可能にし、これにより、これら２つの部品間の相対位置が測定又は算出され、回転テーブルのバックラッシュを決定することができる。
【００１３】
[0013]他の例示的な実施形態では、上記検知手段は、電力線を通って回転テーブルのサーボモータに至る電流フローを測定するように構成された電流センサを備える。上記検知手段は、回転テーブルのフェースプレートに取り付けられたスイッチを更に備え得る。
【００１４】
[0014]更に他の例示的な実施形態では、上記検知手段は、回転テーブルのサーボモータの位置を測定するように構成されたエンコーダと、回転テーブルのフェースプレートに取り付けられたスイッチとを備える。
【００１５】
[0015]第２の態様によれば、本発明の第１の態様に係る回転テーブル及びフライス盤を備えるフライス加工ステーションが提供されている。
【００１６】
[0016]第３の態様によれば、本発明の第２の態様に係るフライス加工ステーションを２つ以上備える工業作業現場構成が提供されている。
【００１７】
[0017]第４の態様によれば、第１の態様に係る少なくとも１つの回転テーブルと、上記少なくとも１つの回転テーブルから送信されたデータを受信及び処理するための中央プロセッサとを備える、回転テーブルの特性を監視するシステムが提供されている。
【００１８】
[0018]第４の態様に係るシステムは、サイバーフィジカルシステム、ビッグデータアナリティクス及びクラウドコンピューティングのような現代の情報及び通信技術から利益を享受する。第４の態様に係るシステムは、欠陥及び生産不良の早期発見を助け、よって、それらの防止を可能にし、重要な競合価値を有する生産性、品質、及び俊敏性の利益を増大させる。
【００１９】
[0019]加えて、第４の態様に係るシステムは、現場での（in situ）回転テーブルの仕組み及び機械加工プロセスのいくつかの異なる態様に関する情報を集めることを可能にする。
【００２０】
[0020]好ましくは、システムは、第１の態様に係る複数の回転テーブルを備え、中央プロセッサは、上記複数の回転テーブルの各々から送信されたデータを受信及び処理するように構成される。
【００２１】
[0021]好ましくは、システムは、上記少なくとも１つの回転テーブル又は複数の回転テーブルのバックラッシュを監視するように構成される。
【００２２】
[0022]好ましくは、上記中央プロセッサは、コンピュータである。
【００２３】
[0023]好ましくは、システムは、上記少なくとも１つの回転テーブルのうちの１つと同じ敷地にローカルサーバを更に備え、上記ローカルサーバは、上記中央プロセッサに接続されている。
【００２４】
[0024]好ましくは、上記ローカルサーバは、オフサイトロケーションからデータ及び情報を送信及び受信するように構成された送信手段及び受信手段を備える。
【００２５】
[0025]好都合に、上記ローカルサーバは、ユーザインターフェース手段を備える。
【００２６】
[0026]ローカルサーバを備える例示的な実施形態では、好ましくは、ローカルサーバと同じ敷地に位置している上記少なくとも１つの回転テーブルのうちの１つ又は複数がワイヤード又はワイヤレスの送信手段を介してローカルサーバに接続されている。好ましくは、ローカルサーバと同じ敷地に位置している各回転テーブルは、ワイヤード又はワイヤレスの送信手段を介してローカルサーバに接続されている。
【００２７】
[0027]システムは、ローカルサーバに加えてマスタサーバを更に備え得る。好ましくは、マスタサーバは、上記ローカルサーバのうちの少なくとも１つとは異なる敷地に位置している。
【００２８】
[0028]好ましくは、マスタサーバは、ユーザインターフェース手段を備える。
【００２９】
[0029]他の態様は、ここにおける特許請求の範囲に示されている通りである。
【００３０】
[0030]本発明のより良い理解のために及び同じものがどのようにして実行され得るかを示すために、添付の図面を参照して、本発明に係る特定の実施形態、方法、及びプロセスが、例としてのみ説明されるであろう。
【図面の簡単な説明】
【００３１】
【図１】図１は、本発明で使用するための回転テーブルの略図である。
【図２】図２は、本発明で使用するための回転テーブルの分解図である。
【図３】図３は、本発明のバックラッシュ監視システムの第１の実施形態を組み込んでいる、本発明に係る回転テーブルの実施形態である。
【図４】図４は、本発明のバックラッシュ監視システムの第２の実施形態の一部を形成する検知手段の略図である。
【図５】図５は、本発明のバックラッシュ監視システムの第２の実施形態を組み込んでいる回転テーブルのサーボモータ位相の電流分布を示すグラフである。
【図６】図６は、本発明のバックラッシュ監視システムの第２の実施形態を使用した、フェースプレートの反転にかかる平均時間とバックラッシュ値との相関を示すグラフである。
【図７】図７は、本発明の第３の実施形態に係るバックラッシュ監視システムを組み込んでいる回転テーブル上のスイッチ及びフェースプレートの配置の略図である。
【図８】図８は、本発明の第３の実施形態に係るバックラッシュ監視システムを組み込んでいる回転テーブルの回転テーブル駆動列及びエンコーダの配置の略図である。
【図９】図９は、本発明の第３の実施形態に係るバックラッシュ監視システムの一部を形成するエンコーダのための例示的な回路配置である。
【図１０】図１０は、本発明に係る回転テーブル及びフライス盤を組み込んでいるフライス加工ステーションの部分図である。
【図１１】図１１は、図１０に係るフライス加工ステーションを２つ以上の組み込んでいるスマートファクトリの略図である。
【図１２】図１２は、本発明に係る監視システムを使用した複数のファクトリからのデータの照合の略図を示す。
【発明を実施するための形態】
【００３２】
[0031]例として、本願の発明者が予期する特定のモードが説明されるであろう。以下の説明では、数多くの特定の詳細が、完全な理解を与えるために示される。しかしながら、本発明がこれらの特定の詳細に限定されることなく実施され得ることは、当業者には明らかになるであろう。他の事例では、本説明を不必要にあいまいにしないために、周知の方法及び構造は、詳細には説明されていない。
【００３３】
[0032]図１及び２を参照すると、本発明のバックラッシュ監視システムで使用するための回転テーブル１０，１０ａの実施形態が示されている。図２の回転テーブルは、分解図で示されている。本発明のバックラッシュ監視システムの適用が図１及び２に描写されている回転テーブル構成に限定されないことは、当業者によって理解されるであろう。
【００３４】
[0033]回転テーブルは、各々、本体１２と、フェースプレート１４と、このフェースプレート１４が取り付けられているウォームホイール１６と、このウォームホイール１６と機械係合しているウォームねじ１８とを備える。上述した構成要素の配置及びそれら間の関係性は、当技術分野において既知であり、そのため、より詳細には説明されないであろう。
【００３５】
[0034]示される実施形態では、フェースプレート１４は、モノブロックフェースプレートである。
【００３６】
[0035]ウォームホイール１６、ウォームねじ１８、及び本体１２は、任意の適切な材料から作られ得る。例えば、ウォームホイール１６は特殊硬化イオン窒化鋼から、ウォームねじ１８は炭化物材料から、そして本体は高密度ねずみ鋳鉄から構成され得る。
【００３７】
[0036]回転テーブル１０，１０ａは、当技術分野で知られているように軸方向荷重及び半径方向荷重を支持するように構成された本体１２に組み込まれているフェイス＆ラジアルローラーベアリングシステム２０を含み、これは、Ｔｅｆｌｏｎ（登録商標）シーリングを組み込み得る。
【００３８】
[0037]フェースプレート１４は、中央孔２２と複数のＴスロット２４とを含む。他の構成では、Ｔスロットがフェースプレート１４から省かされ得ることは理解されるであろう。
【００３９】
[0038]回転テーブルのバックラッシュを監視するための本発明に係るシステムは、上記回転テーブルの２つの相手部品間のクリアランスを測定する及び／又はそれの算出を容易にするように構成された検知手段を組み込んでいる。システムはまた、上記測定されたクリアランス又はクリアランスの算出を容易にするために取得されたデータを、中央処理装置に送信するように構成された送信手段を含む。
【００４０】
[0039]図３を参照すると、図２の回転テーブルに結合されている、本発明に係るシステムの一部を形成する検知手段の第１の実施形態が示されている。
【００４１】
[0040]示される実施形態では、検知手段は、ロータリエンコーダのような、一対のエンコーダ３０，３２の形である。上記一対のエンコーダのうちの一方３０は、回転テーブル１０ａのウォームホイール１６に取り付けられおり、上記一対のエンコーダのうちの他方３２は、回転テーブル１０ａのウォームねじ１８に取り付けられている。
【００４２】
[0041]エンコーダ３０，３２は、それらが取り付けられているそれぞれの構成要素に関するデータ、特にそれら２つのそれぞれの位置、を集めるように構成される。
【００４３】
[0042]ウォームねじ１８及びウォームホイール１６の位置間の差分は、回転テーブル１０ａのバックラッシュを決定するために使用される。これは、ウォームねじ１８とウォームホイール１６との間のクリアランスを算出することで達成される。
【００４４】
[0043]図４を参照して、ここから、本発明に係るシステムの一部を形成する検知手段の第２の実施形態が説明されるであろう。
【００４５】
[0044]検知手段は、電力線を通って回転テーブルのサーボモータに至る電流フローを測定するように構成された低コスト電流フローセンサ（図示せず）を組み込んでいる。低コスト電流フロー線は、サーボモータの位置が決定されることを可能にする。
【００４６】
[0045]検知手段はまた、フェースプレート１４上に配置されたスイッチ３４を組み込んでいる。スイッチ３４は、フェースプレート１４の位置を決定するために使用される。
【００４７】
[0046]フェースプレート１４及びサーボモータの位置間の比較は、この駆動列に沿った全バックラッシュを算出するために使用される。
【００４８】
[0047]本発明に係る検知システムの第２の実施形態を使用して回転テーブルのバックラッシュを決定するための方法の例が説明されるであろう。
【００４９】
[0048]第１に、３相サーボモータの位置を測定するために、このサーボモータの単相を通る電流フローが電流フローセンサを使用して高い周波数（例えば４０００Ｈｚ）で最初に測定される。
【００５０】
[0049]スイッチ３４は、例えば電気機械スイッチであり得、フェースプレート１４の特定の回転でアクティブ化されるように構成される。スイッチ３４は、フェースプレート１４の位置を記録する（note）ために使用される。
【００５１】
[0050]次いで、フェースプレート１４の完全な又は部分的な回転サイクルが実行される。
【００５２】
[0051]これは、最初に回転テーブルのフェースプレート１４を、反時計回り（ｃｃｗ）の方向に所定の度数、例えば２０度、回転させることでなされる。所定の度数は、スイッチ３４がこの経路に沿ったあるポイント３５で開かれるように、回転テーブルのフェースプレート１４が進む距離がスイッチ３４のアクティブ化／非アクティブ化ポイント付近であるようなものである。
【００５３】
[0052]スイッチの開放３５から回転テーブルの回転の停止３６までの距離には第１の値ｘが与えられる。
【００５４】
[0053]次いで、回転テーブルのフェースプレート１４が、同じＲＰＭでかつ同じ回転角度、このケースでは時計周りに２０度、反対方向に動かされる。スイッチ３４は、この逆回転に沿ったあるポイントで閉じるであろう。
【００５５】
[0054]回転テーブルの逆回転の開始３７とスイッチの閉塞３８との間のポイントには第２の値ｙが与えられる。
【００５６】
[0055]ｙは、ｘ＋バックラッシュ値に等しく、そのため、バックラッシュは、ｙからｘを差し引くことで算出することができる。
【００５７】
[0056]ｃｃｗ及びｃｗ回転中の回転テーブルのサーボモータ位相の電流分布を示すグラフが図５に示されている。
【００５８】
[0057]出願人は、本発明に係る検知システムの第２の実施形態によって取得された測定値と、テストに使用された回転テーブルの実際のバックラッシュとの間に明確な線形相関があることを見いだした。
【００５９】
[0058]バックラッシュ値と、例示的な回転テーブルのための反転にかかる平均時間との相関が図６に示されている。
【００６０】
[0059]上で説明した方法の利点は、第２の実施形態に係る、回転テーブルのバックラッシュを監視するためのシステムが、完全に後付け可能（retro-fittable）であり、回転テーブルの電気接続への最小限の干渉を必要とすることである。
【００６１】
[0060]図７及び８を参照して、本発明に係るシステムの一部を形成する検知手段の第３の実施形態が説明されるであろう。
【００６２】
[0061]第３の実施形態では、検知手段は、フェースプレート１４に配置されているスイッチ４４を組み込んでいる。スイッチ４４は、第２の実施形態のスイッチ３４と類似した方法で、フェースプレート１４の位置の決定を可能にするように構成される。
【００６３】
[0062]システムは、サーボモータ４０の位置を測定するために回転テーブルに不可欠なサーボエンコーダ４２を更に利用する。
【００６４】
[0063]スイッチ及びフェースプレートの配置は、図７に描写されており、回転テーブル駆動列及びエンコーダの配置は、図８に示されている。
【００６５】
[0064]スイッチ４４を介して取得されるフェースプレートの位置を、サーボエンコーダ４２を介して取得されるサーボモータ４０の位置と比較することでバックラッシュが算出される。前述したように、これら２つの位置間の差異が回転テーブルのバックラッシュである。
【００６６】
[0065]図８は、ウォームねじ１８に直接接続されたサーボモータ４０を概略的に示しているが、いくつかの回転テーブル構成では、追加のギアがサーボモータ４０とウォームねじ１８との間に存在し得ることは理解されるであろう。このような構成では、これらのギアにおけるバックラッシュもまた、第３の実施形態に係る検知システムを使用して測定されるであろう。
【００６７】
[0066]当業者によって理解されることとなるように、システムをインプリメントする際に使用されるエンコーダのタイプは、回転テーブルが適合する機械のタイプと互換性があるように選ばれるであろう。
【００６８】
[0067]本発明の第３の実施形態に係るバックラッシュ監視システムの一部を形成する例示的なエンコーダ及び回路の配置が図９に示されている。
【００６９】
[0068]テストケースでは、エンコーダは、１回転あたり８１９２パルスという分解能で構成され、これは、２００ｍｍの直径のフェースプレートの回転テーブルでのバックラッシュをミクロン以下の精度で測定することを可能にする。これは、２ミクロンまで正確であり、かつ、現場でエンジニアを必要とする、バックラッシュを測定するために当技術分野において使用される現在の方法より正確である。
【００７０】
[0069]サーボエンコーダ通信プロトコルは、エンコーダごとに異なるであろう。テストケースのエンコーダについて、差動シリアルプロトコルが使用される。
【００７１】
[0070]エンコーダデータは、図９に示されるようにサーボパック（登録商標）４６上のデータバス４７又はエンコーダ４２上のデータバス４８のうちの１つから読み取られる。エンコーダデータは、マイクロコントローラ（図示せず）によって読み取られる前に、何らかの信号処理回路を通過させられ得る。電気機械スイッチ信号も、マイクロコントローラによって読み取られる。読み取られた信号は、ソフトウェアプログラム、例えばファームウェア、によって復号されることとなり、ここで、上記復号された信号は、バックラッシュを算出するために使用される。
【００７２】
[0071]データは、追加で、処理のためにサーバに送信され得る。
【００７３】
[0072]図１０を参照すると、本発明に係る、フライス盤５２及び回転テーブル１０，１０ａを組み込んでいるフライス加工ステーション５０の部分図が示される。
【００７４】
[0073]送信手段がバックラッシュを算出するための上記測定されたクリアランス又は測定されたデータを送信するように構成される中央処理装置は、フライス加工ステーション５０の一部を形成するユーザインターフェースユニットの一部であり得る。代替的に、それは、フライス加工ステーション５０に遠隔接続されているコンピュータ又はワークステーションの一部であり得る。
【００７５】
[0074]分析及び照会されることに加えて受信されたデータは、回転テーブルの性能の長期傾向分析を実行するために使用され得る。
【００７６】
[0075]図１１は、本発明に係る回転テーブル及びバックラッシュ監視システムを組み込んでいるフライス加工ステーションＡ，Ｂ，Ｃ，Ｄを２つ以上組み込んでいるスマートファクトリ６０の略図を示す。
【００７７】
[0076]スマートファクトリ６０は、フライス加工ステーションＡ，Ｂ，Ｃ，Ｄの各々の回転テーブルのバックラッシュに関して集められた全てのデータが送られる中央コンピュータ６２を含む。
【００７８】
[0077]示される実施形態では、中央コンピュータ６２は、作業現場とは異なるロケーションに位置しているが、中央コンピュータ６２が作業現場に位置している可能性があることは理解されるであろう。
【００７９】
[0078]中央コンピュータ６２は、好ましくは、それぞれのフライス加工ステーションからのデータがファクトリの労働者によって容易に閲覧及び分析されることができるように、モニタ又は同様のユーザインターフェースに接続されている。
【００８０】
[0079]これは、ファクトリの労働者が、所与のフライス盤についてのバックラッシュ値の変化に気づくことを可能にし、回転テーブルのバックラッシュが臨界値に近づいた場合には、労働者が積極的な行動を起こすことを可能にする。臨界値は一般に、完成した被加工物が、その設計されたエンジニアリング許容差を満たさないという結果をもたらすものであろう。
【００８１】
[0080]回転テーブル上でのバックラッシュの変化による結果として得られる効果が、初期に設計されたプロジェクトに対してはもはや好適ではないが、異なるプロジェクトについての被加工物の品質／基準に影響を及ぼすこととならない場合、それぞれの機械についてのバックラッシュの監視は、異なるプロジェクトにフライス加工ステーションを労働者が再び割り当てることを可能にする。
【００８２】
[0081]図１２は、傾向分析を容易にし、フライス加工ステーションのダウンタイム及び／又は必須製造基準を満たさない部品の生産を最小化するための、データの照合及びその使用の略図を示す。
【００８３】
[0082]各スマートファクトリの中央コンピュータからのデータは、分析のためにデータベース７０に送られる。データベースは、クラウドサーバ上に又は物理ロケーションにあり得る。図１２では、クラウドサーバに位置しているデータベースが示されており、４つのスマートファクトリ（ｉ），（ｉｉ），（ｉｉｉ），（ｉｖ）だけが示されている。
【００８４】
[0083]回転テーブルの傾向分析を改善するために、それぞれのファクトリからの照会データが使用される。
【００８５】
[0084]相手先商標製品の製造会社ＯＥＭも、このデータベースへのアクセスを有する。
【００８６】
[0085]回転テーブルのバックラッシュの変化の結果としてこのテーブルによる性能の低下により、フライス加工ステーションによって生成されている製品の品質の劣化が近い将来に発生するであろうことを傾向分析が示す場合、この劣化が発生すると推定されるまでに残されている稼働時間数を示す上記情報が、関連するファクトリに伝えられる。
【００８７】
[0086]交換部品の配送の手配をする手配をするために、メッセージも同時に予備パーツ販売業者又は回転テーブル製造業者に送られることができる。
【００８８】
[0087]これは、フライス加工ステーションのダウンタイムを最小化し、回転テーブルのバックラッシュの変化により基準以下の被加工物が生成される可能性を低減するであろう。
【００８９】
[0088]本発明に係る回転テーブルのバックラッシュを監視するためのシステムは、単一スピンドル回転テーブルを参照して説明されているが、マルチスピンドル回転テーブル構成での使用に容易に適応することができることは理解されるであろう。
【図１】
2019181691.tif 000003
【図２】
2019181691.tif 000004
【図３】
2019181691.tif 000005
【図４】
2019181691.tif 000006
【図５】
2019181691.tif 000007
【図６】
2019181691.tif 000008
【図７】
2019181691.tif 000009
【図８】
2019181691.tif 000010
【図９】
2019181691.tif 000011
【図１０】
2019181691.tif 000012
【図１１】
2019181691.tif 000013
【図１２】
2019181691.tif 000014
【外国語明細書】
2019181691000001.pdf